(57)【要約】本発明は、販売者と購買者との間のオフラインにおける直接販売取引および地上波放送、衛星放送、カタログなどのマスメディアと印刷媒体を用いた通信販売取引における購買代金決済のための移動通信端末を用いた認証および決済システムと方法に関するものである。本発明の認証および決済システムは、購買者と販売者との間で選択できるクレジットカード、電子マネー、携帯電話小額決済などの支給決済手段に対して安全で便利な新しい認証および決済プロセスを提供することを目的とし、そのシステムの構成によって支給決済手段を発給および管理、運営し、購買者の移動通信端末からパスワード、ＰＩＮまたはチップ認証暗号（Ｃｈｉｐ  Ａｕｔｈｅｎｔｉｃａｔｉｏｎ  Ｃｒｙｐｔｏｇｒａｍ）のような決済認証情報を含む決済認証要請を受信して、事前登録されている決済認証情報との比較によって該当取引に対する認証を行い、認証成功の有無の結果を返信する発給会社サーバと；購買者の移動通信端末が無線インターネット網を介して前記発給会社サーバに接続することができるようにするために国内外発給会社サーバの接続ＵＲＬ情報を管理する発給会社の情報管理中継サーバと；前記認証結果を発給会社サーバから直接受信するか、下記の支払サーバまたは加盟店システムおよび有線ネットワーク中継システムなどを経由して、決済承認情報を含む決済承認要請を受信して該当支給決済手段の取引に対する決済承認と加盟店に対する買入と精算を行う買入会社サーバと；購買者の移動通信端末番号と、該当取引の購買情報と購買者の支給決済手段情報を含む決済情報を販売者の端末またはコールセンターなどの加盟店システムから受信すれば、前記の発給会社の情報管理中継サーバから該当支給決済手段に対する発給会社サーバの接続ＵＲＬ情報を要請および獲得した後、購買者の移動通信端末に支払サーバ接続ＵＲＬを、返信（ＣａｌｌＢａｃｋ）時の接続ＵＲＬとするコールバックＵＲＬメッセージ（ＳＭＳまたはＭＭＳ）を伝送し、購買者の移動通信端末がコールバックＵＲＬメッセージのコールバック機能によって支払サーバに接続された場合、該当取引に対する決済確認過程を進行した後、既に獲得した発給会社サーバの接続ＵＲＬ情報を用いて購買者の移動通信端末を発給会社サーバにリダイレクションさせ、購買者と発給会社との間に該当取引に対する決済認証がなされるようにし、認証結果が発給会社から返信された後、前記買入サーバに直接伝送または有線ネットワーク中継システムを経由して伝送し、買入会社サーバによって決済承認がなされるようにする支払サーバと、を含んでなることに技術的特徴がある。
2008511067.tif 000002
【特許請求の範囲】
【請求項１】
メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、クレジットカード、電子マネー、携帯電話小額決済、口座振り替えなどの支給決済手段を発給および管理、運営する発給会社サーバと；決済承認および加盟店に対する買入、精算のための買入会社サーバと；販売者の端末からの要請により前記発給会社サーバと買入会社サーバとの間に中継して認証および決済サービスを提供するための支払サーバと；を含んでなる認証／決済システムであって、
前記支払サーバは、販売者の端末から購買者の移動通信端末番号と、ユーザ決済認証情報を除いた取引購買情報を含む決済情報とを受信すれば、ユーザの認証サービス加入有無の確認過程を発給会社サーバとの間で進めて、購買者の移動通信端末に支払サーバの接続ＵＲＬ情報を含むコールバック（Ｃａｌｌｂａｃｋ）ＵＲＬ短文メッセージ（ＳＭＳ）またはマルチメディアメッセージ（ＭＭＳ）を伝送して、前記購買者の移動通信端末がコールバックＵＲＬメッセージのコールバック機能を通じて、支払サーバに接続されれば、決済金額を含む購買者の購買内訳および決済情報の確認過程を進め、購買者の移動通信端末からパスワード、ＰＩＮまたはチップ認証暗号（Ｃｈｉｐ  Ａｕｔｈｅｎｔｉｃａｔｉｏｎ  Ｃｒｙｐｔｏｇｒａｍ）のようなユーザの決済認証情報を受信して、受信した決済認証情報と購買情報および支給決済手段情報を含む決済情報を前記発給会社サーバに伝送して決済認証を要請し、発給会社サーバが該当取引に対する認証を行った後認証成功の有無の結果を伝送すれば、発給会社から受信した認証結果と販売者の端末から受信した決済情報を前記買入会社サーバに伝送して買入会社サーバによって決済承認がなされるようにし、
前記発給会社サーバは、前記支払サーバからユーザの認証サービス加入に対する確認要請時に返信をし、支払サーバから決済認証情報と購買情報および支給決済手段情報を含む決済情報が伝送され、決済認証が要請されれば、該当決済認証情報と事前登録および決済手段発給時に格納されている決済認証情報との比較によって認証処理を行って、その認証成功の有無の結果を前記支払サーバに伝送し、
前記買入会社サーバは、前記支払サーバから発給会社の認証結果を含む決済承認要請を受信すれば、該当取引に対する決済承認を処理することを特徴とする、移動通信端末を用いた認証および決済システム。
【請求項２】
前記支払サーバは、
販売者の端末から購買者の移動通信端末番号を受信すれば、購買者の移動通信端末が支払サーバに接続することができるようにするＵＲＬ情報を含むコールバックＵＲＬメッセージの短文メッセージ（ＳＭＳ）またはマルチメディアメッセージ（ＭＭＳ）を生成して、購買者の移動通信端末に伝送するコールバックＵＲＬメッセージ伝送部と；
前記コールバックＵＲＬメッセージのコールバック機能によって前記購買者の移動通信端末が支払サーバに接続されれば、購買者の移動通信端末と決済金額を含む購買者の購買内訳および決済情報の確認過程を行う決済情報確認処理部と；
決済情報の確認がなされれば、前記購買者の移動通信端末に決済認証情報の入力および伝送を要請して、購買者の移動通信端末から決済認証情報が伝送されれば、該当決済認証情報と購買情報および支給決済手段情報を含む決済情報を前記発給会社サーバに伝送して決済認証を要請し、前記発給会社サーバから認証結果を受信すれば、販売者の端末から受信した決済情報を含み、これを買入会社サーバに伝送する認証結果返信部と；
を含んでなることを特徴とする、請求項１に記載の移動通信端末を用いた認証および決済システム。
【請求項３】
前記支払サーバは、
前記販売者の端末と購買者の移動通信端末のうちいずれか１つから支給決済手段情報を受信し、受信した支給決済手段情報を発給会社サーバに伝送して、該当取引に対する認証サービス加入有無の確認を要請し、前記発給会社サーバから加入の確認応答を受信した場合、購買者の移動通信端末に該当支給決済手段に対する決済認証情報の入力および伝送を要請し、
前記発給会社サーバは、
前記支払サーバから支給決済手段情報を受信すれば、該当支給決済手段に対する加入者の認証サービス加入有無を判断して、認証サービス加入者と判断されれば、前記支払サーバに加入の確認応答を伝送することを特徴とする、請求項１に記載の移動通信端末を用いた認証および決済システム。
【請求項４】
メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、支給決済手段を発給および管理、運営する発給会社サーバと、国内外発給会社サーバの接続ＵＲＬ情報を管理する発給会社の情報管理中継サーバと、決済承認および加盟店に対する買入、精算のための買入会社サーバと、販売者の端末からの要請により前記発給会社サーバと買入会社サーバとの間に中継して認証および決済サービスを提供するための支払サーバを含んでなる認証／決済システムであって、
前記支払サーバは、販売者の端末から購買者の移動通信端末番号と、ユーザの決済認証情報を除いた取引購買情報を含む決済情報とを受信すれば、購買者の移動通信端末に支払サーバの接続ＵＲＬ情報を含むコールバックＵＲＬメッセージ（ＳＭＳまたはＭＭＳ）を伝送して、前記発給会社の情報管理中継サーバから該当支給決済手段に対する発給会社サーバの接続ＵＲＬ情報を獲得し、これを前記コールバックＵＲＬメッセージのコールバック機能によって支払サーバに接続した購買者の移動通信端末に伝送し、購買者の移動通信端末と発給会社サーバとの間に認証がなされるようにし、前記発給会社サーバから認証結果を受信すれば、販売者の端末から受信した決済情報を含み、これを買入会社サーバに伝送して買入会社サーバによって決済承認がなされるようにし、
前記発給会社の情報管理中継サーバは、前記支払サーバから支給決済手段情報を受信すれば、該当支給決済手段に対する発給会社サーバの接続ＵＲＬ情報を支払サーバに伝送し、
前記発給会社サーバは、購買者の移動通信端末が前記発給会社サーバ接続ＵＲＬに接続されれば、該当支給決済手段に対する決済認証情報の入力および伝送を要請し、購買者の移動通信端末から受信した決済認証情報を事前登録および決済手段発給時に格納されている決済認証情報と比較して、該当取引に対する認証処理を行い、
前記買入会社サーバは、前記支払サーバから認証結果を受信すれば、受信した認証結果を用いて承認を処理することを特徴とする、移動通信端末を用いた認証および決済システム。
【請求項５】
前記支払サーバは、
販売者の端末から購買者の移動通信端末番号を受信すれば、購買者の移動通信端末が支払サーバに接続することができるようにするＵＲＬ情報を含むコールバックＵＲＬメッセージ（ＳＭＳまたはＭＭＳ）を生成して購買者の移動通信端末に伝送するコールバックＵＲＬメッセージ伝送部と；
前記コールバックＵＲＬメッセージのコールバック機能によって前記購買者の移動通信端末が接続されれば、購買者の移動通信端末と決済金額を含む購買者の購買内訳および決済情報の確認過程を行う決済情報確認処理部と；
販売者の端末と購買者の移動通信端末のうちいずれか１つから支給決済手段情報を受信すれば、前記発給会社の情報管理中継サーバに前記受信した支給決済手段情報を伝送して、該当支給決済手段に対する発給会社サーバの接続ＵＲＬ情報を獲得する発給会社サーバ接続ＵＲＬ獲得部と；
前記決済情報確認処理がなされた購買者の移動通信端末に、前記発給会社サーバ接続ＵＲＬ獲得部によって、獲得した発給会社サーバの接続ＵＲＬ情報を用いて、支払サーバに接続した購買者の移動通信端末の接続を発給会社サーバに自動リダイレクションさせるリダイレクションメッセージを伝送して、前記購買者の移動通信端末の接続が前記発給会社サーバにリダイレクションされるようにする発給会社サーバ接続ＵＲＬ伝送部と；
発給会社サーバに接続された購買者の移動通信端末と発給会社サーバとの間に該当支給決済手段に対する決済認証情報確認による認証処理がなされることによって前記発給会社サーバから認証結果を受信すれば、販売者の端末から受信した決済情報を含み、これを買入会社サーバに伝送する認証結果返信部と；
を含んでなることを特徴とする、請求項４に記載の移動通信端末を用いた認証および決済システム。
【請求項６】
前記コールバックＵＲＬメッセージ伝送部は、販売者の端末から受信した購買情報をインデックスできる識別子またはキー値を含んで前記コールバックＵＲＬメッセージを生成して、購買者の移動通信端末がコールバックＵＲＬメッセージを受信した後、支払サーバに接続する時にＵＲＬに含まれている購買情報およびインデックス、識別子などの情報によって、支払サーバで購買者と販売者との間の取引情報の連係性および取引情報の連続性を認識、管理することができるようにすることを特徴とする、請求項２または請求項５に記載の移動通信端末を用いた認証および決済システム。
【請求項７】
前記支払サーバは、
販売者の端末からの決済要請時に販売者の端末から移動通信端末番号と、取引購買情報および支給決済手段情報を含む決済情報を受信し、
前記決済情報確認処理部は、
支払サーバに接続した購買者の移動通信端末に前記販売者の端末から受信した支給決済手段情報を伝送し、購買者の移動通信端末から確認応答を受信することによって決済情報確認処理を行うことを特徴とする、請求項２または請求項５に記載の移動通信端末を用いた認証および決済システム。
【請求項８】
前記決済情報確認処理部は、
支払サーバに接続した購買者の移動通信端末と決済金額を含む購買者の購買内訳および決済情報の確認過程を行い、購買者の移動通信端末に支給決済手段情報の入力および伝送を要請し、購買者の移動通信端末から支給決済手段情報が入力および伝送されて決済情報確認処理を行うことを特徴とする、請求項２または請求項５に記載の移動通信端末を用いた認証および決済システム。
【請求項９】
前記認証結果返信部は、
前記買入会社サーバに前記認証結果が添付された決済承認要請メッセージを伝送して、前記買入会社サーバから承認結果を受信すれば、承認結果を前記販売者の端末および購買者の移動通信端末に伝送し、
前記買入会社サーバは、前記支払サーバまたは加盟店システムおよび有線ネットワーク中継システムのうちいずれか１つから認証結果が添付された決済承認要請メッセージを受信すれば、該当決済承認を処理して、その結果を返信することを特徴とする、請求項２または請求項５に記載の移動通信端末を用いた認証および決済システム。
【請求項１０】
前記認証結果返信部は、
前記認証結果の送受信によって、販売者の端末と前記買入会社サーバとの間に直接的な承認処理がなされるように、前記買入会社サーバと販売者の端末および購買者の移動通信端末に認証結果メッセージを伝送し、
前記買入会社サーバは、前記支払サーバから認証結果が受信され、販売者の端末から直接、加盟店システムおよび有線ネットワーク中継システムなどを経由して別の決済承認要請メッセージを受信すれば、該当決済承認を処理して、その結果を前記販売者の端末に直接伝送するか、加盟店システムおよび有線ネットワーク中継システムなどを経由して販売者の端末に伝送し、購買者の移動通信端末に伝送することを特徴とする、請求項２または請求項５に記載の移動通信端末を用いた認証および決済システム。
【請求項１１】
前記発給会社の情報管理中継サーバは、
前記支払サーバから支給決済手段情報を受信すれば、該当支給決済手段を発給および管理、運営する該当発給会社サーバの接続ＵＲＬ情報を前記支払サーバに伝送することを特徴とする、請求項４に記載の移動通信端末を用いた認証および決済システム。
【請求項１２】
前記発給会社の情報管理中継サーバは、
前記支払サーバから受信した支給決済手段情報を該当発給会社サーバに伝送して、該当取引に対する認証サービス加入有無の確認を要請し、前記発給会社サーバから加入の確認応答を受信すれば、発給会社サーバの接続ＵＲＬ情報を前記支払サーバに伝送し、
前記発給会社サーバは、
前記発給会社の情報管理中継サーバから支給決済手段情報を受信すれば、該当支給決済手段に対する加入者の認証サービス加入有無を判断して、認証サービス加入者と判断されれば、前記発給会社の情報管理中継サーバに加入の確認応答を伝送することを特徴とする、請求項１１に記載の移動通信端末を用いた認証および決済システム。
【請求項１３】
前記支払サーバと買入会社サーバとの間には、決済承認および買入過程を中継するための中継サーバが追加され、買入会社サーバは前記中継サーバから承認要請を受信することを特徴とする、請求項１または請求項４に記載の移動通信端末を用いた認証および決済システム。
【請求項１４】
メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、販売者の端末からの要請により支給決済手段を発給および管理、運営する発給会社サーバと決済承認および加盟店に対する買入、精算のための買入会社サーバ間に中継して認証および決済サービスを提供するための支払サーバを含んでなる認証／決済システムであって、
前記支払サーバは、
販売者の端末から移動通信端末番号と、ユーザの決済認証情報を除いた取引購買情報を含む決済情報とを受信すれば、購買者の移動通信端末が支払サーバに接続することができるようにするＵＲＬ情報を含むコールバックＵＲＬメッセージ（ＳＭＳまたはＭＭＳ）を生成して購買者の移動通信端末に伝送するコールバックＵＲＬメッセージ伝送部と；
前記コールバックＵＲＬメッセージのコールバック機能によって前記購買者の移動通信端末が支払サーバに接続されれば、購買者の移動通信端末と決済金額を含む購買者の購買内訳および決済情報の確認過程を行う決済情報確認処理部と；
決済情報の確認がなされれば、前記購買者の移動通信端末に決済認証情報の入力を要請して、決済認証情報が伝送されれば該当購買情報および支給決済手段情報を含む決済情報と決済認証情報を前記発給会社サーバに伝送して決済認証を要請し、前記発給会社サーバから認証結果を受信すれば、販売者の端末から受信した決済情報を含んでこれを買入会社サーバに伝送し、買入会社サーバによって決済承認がなされるようにする認証結果返信部と；
を含んでなることを特徴とする、移動通信端末を用いた認証および決済システム。
【請求項１５】
前記支払サーバは、前記販売者の端末と購買者の移動通信端末のうちいずれか１つから支給決済手段情報を受信し、受信した支給決済手段情報を該当発給会社サーバに伝送して該当取引に対する認証サービス加入有無の確認を要請し、
前記認証結果返信部は、
前記発給会社サーバから加入の確認応答を受信した場合、購買者の移動通信端末に該当支給決済手段に対する決済認証情報の入力を要請することを特徴とする、請求項１４に記載の移動通信端末を用いた認証および決済システム。
【請求項１６】
メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、販売者の端末からの要請により支給決済手段を発給および管理、運営する発給会社サーバ、国内外発給会社サーバの接続ＵＲＬ情報を管理する発給会社の情報管理中継サーバ、決済承認および加盟店に対する買入、精算のための買入会社サーバ間に中継して認証および決済サービスを提供するための支払サーバを含んでなる認証／決済システムであって、
前記支払サーバは、
販売者の端末から移動通信端末番号と、ユーザの決済認証情報を除いた取引購買情報を含む決済情報とを受信すれば、購買者の移動通信端末が支払サーバに接続することができるようにするＵＲＬ情報を含むコールバックＵＲＬメッセージ（ＳＭＳまたはＭＭＳ）を生成して購買者の移動通信端末に伝送するコールバックＵＲＬメッセージ伝送部と；
前記コールバックＵＲＬメッセージのコールバック機能によって前記購買者の移動通信端末が接続されれば、購買者の移動通信端末と決済金額を含む購買者の購買内訳および決済情報の確認過程を行う決済情報確認処理部と；
販売者の端末と購買者の移動通信端末のうちいずれか１つから支給決済手段情報を受信すれば、前記発給会社の情報管理中継サーバに前記受信した支給決済手段情報を伝送して、該当支給決済手段に対する発給会社サーバの接続ＵＲＬ情報を獲得する発給会社サーバ接続ＵＲＬ獲得部と；
前記決済情報確認処理がなされた購買者の移動通信端末に、前記発給会社サーバ接続ＵＲＬ獲得部によって、獲得した発給会社サーバの接続ＵＲＬ情報を用いて、支払サーバに接続した購買者の移動通信端末の接続を発給会社サーバに自動リダイレクションさせるリダイレクションメッセージを伝送して、前記購買者の移動通信端末の接続が発給会社サーバにリダイレクション接続され、発給会社サーバを介して認証がなされるようにする発給会社サーバ接続ＵＲＬ伝送部と；
発給会社サーバに接続された購買者の移動通信端末と発給会社サーバとの間に該当支給決済手段に対する決済認証情報確認による認証処理がなされることによって前記発給会社サーバから認証結果を受信すれば、販売者の端末から受信した決済情報を含んでこれを買入会社サーバに伝送し、買入会社サーバによって決済承認がなされるようにする認証結果返信部と；
を含んでなることを特徴とする、移動通信端末を用いた認証および決済システム。
【請求項１７】
前記システムは、
前記支払サーバから支給決済手段情報を受信すれば、該当支給決済手段を発給および管理、運営する該当発給会社サーバの接続ＵＲＬ情報を前記支払サーバに伝送する発給会社の情報管理中継サーバ；
をさらに含むことを特徴とする、請求項１６に記載の移動通信端末を用いた認証および決済システム。
【請求項１８】
前記発給会社サーバは、前記発給会社の情報管理中継サーバから支給決済手段情報を受信すれば、該当支給決済手段に対する加入者の認証サービス加入有無を判断して、認証サービス加入者と判断されれば、前記発給会社の情報管理中継サーバに加入の確認応答を伝送し、
前記発給会社の情報管理中継サーバは、
前記支払サーバから受信した支給決済手段情報を該当発給会社サーバに伝送して、該当支給決済手段に対する加入者の認証サービス加入有無確認を要請して、前記発給会社サーバから加入の確認応答を受信すれば、発給会社サーバの接続ＵＲＬ情報を前記支払サーバに伝送することを特徴とする、請求項１７に記載の移動通信端末を用いた認証および決済システム。
【請求項１９】
前記コールバックＵＲＬメッセージ伝送部は、
前記コールバックＵＲＬメッセージに販売者の端末から受信した購買情報をインデックスできる識別子またはキー値を含んで前記コールバックＵＲＬメッセージを生成して、購買者の移動通信端末がコールバックＵＲＬメッセージを受信した後、支払サーバに接続する時にＵＲＬに含まれている購買情報およびインデックス、識別子などの情報によって、支払サーバで購買者と販売者との間の取引情報の連係性および取引情報の連続性を認識、管理することができるようにすることを特徴とする、請求項１４または請求項１６に記載の移動通信端末を用いた認証および決済システム。
【請求項２０】
前記支払サーバは、
販売者の端末からの決済要請時に販売者の端末から移動通信端末番号、ユーザの決済認証情報を除いた支給決済手段情報および取引購買情報を含む決済情報を受信し、
前記決済情報確認処理部は、
支払サーバに接続した購買者の移動通信端末と決済金額を含む購買者の購買内訳および支給決済手段情報を含む決済情報の確認過程を行うことを特徴とする、請求項１４または請求項１６に記載の移動通信端末を用いた認証および決済システム。
【請求項２１】
前記決済情報確認処理部は、
支払サーバに接続した購買者の移動通信端末に支給決済手段情報の入力および伝送を要請し、購買者の移動通信端末から支給決済手段情報が入力および伝送されて決済情報確認処理を行うことを特徴とする、請求項１４または請求項１６に記載の移動通信端末を用いた認証および決済システム。
【請求項２２】
前記認証結果返信部は、
前記買入会社サーバに前記認証結果が添付された決済承認要請メッセージを伝送して、前記買入会社サーバから承認結果を受信すれば、承認結果を前記販売者の端末および購買者の移動通信端末に伝送することを特徴とする、請求項１４または請求項１６に記載の移動通信端末を用いた認証および決済システム。
【請求項２３】
前記買入会社サーバは、前記支払サーバから認証結果が受信され、販売者の端末から直接または加盟店システムおよび有線ネットワーク中継システムなどを経由して別の決済承認要請メッセージを受信すれば、該当決済承認を処理して返信し、
前記認証結果返信部は、
前記認証結果の送受信によって、販売者の端末と前記買入会社サーバとの間に直接的な承認処理がなされるように、前記買入会社サーバと販売者の端末および購買者の移動通信端末に認証結果メッセージを伝送することを特徴とする、請求項１４または請求項１６に記載の移動通信端末を用いた認証および決済システム。
【請求項２４】
前記支払サーバと買入会社サーバとの間には、決済承認および買入過程を中継するための中継サーバが追加され、買入会社サーバは前記中継サーバから承認要請を受信することを特徴とする、請求項１４または請求項１６に記載の移動通信端末を用いた認証および決済システム。
【請求項２５】
支給決済手段を発給および運営する発給会社サーバと、決済承認を行う買入会社サーバとを中継する支払サーバを含んでなされ、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにする認証／決済システムにおける認証／決済方法であって、
販売者の端末から移動通信端末番号と、ユーザの決済認証情報を除いた取引購買情報を含む決済情報が受信されて決済が要請されれば、支払サーバの接続ＵＲＬ情報を含むコールバックＵＲＬメッセージ（ＳＭＳまたはＭＭＳ）を生成し、これを購買者の移動通信端末に伝送するコールバックＵＲＬメッセージ伝送ステップと；
前記コールバックＵＲＬメッセージのコールバック機能によって支払サーバに接続した購買者の移動通信端末と決済金額を含む購買者の購買内訳および決済情報の確認過程を行う購買情報確認および決済手段情報伝送ステップと；
決済情報の確認がなされれば、購買者の移動通信端末に該当支給決済手段に対する決済認証情報の入力を要請して、購買者の移動通信端末から決済認証情報を受信すれば、決済認証情報と支給決済手段情報とを該当発給会社サーバに伝送して決済認証を要請する認証要請ステップと；
発給会社サーバが購買者の移動通信端末から受信した決済認証情報と事前登録されている決済認証情報との比較によって該当取引に対する認証を行い、その認証成功の有無の結果を支払サーバに伝送すれば、買入会社サーバが前記発給会社サーバからの認証結果を用いて該当支給決済手段の決済承認処理を行えるようにするために、前記発給会社サーバから受信した認証結果と、販売者の端末から受信した決済情報とを買入会社サーバに伝送する認証結果返信ステップと；
を含んでなることを特徴とする移動通信端末を用いた認証および決済方法。
【請求項２６】
前記購買情報確認および決済手段情報伝送ステップは、
コールバックＵＲＬメッセージのコールバック機能によって支払サーバに接続した購買者の移動通信端末で前記販売者の端末から受信した決済金額を含む購買者の購買内訳および支給決済手段情報を含む決済情報の確認過程を行うことを特徴とする、請求項２５に記載の移動通信端末を用いた認証および決済方法。
【請求項２７】
前記コールバックＵＲＬメッセージ伝送ステップ以前に、
前記支払サーバが販売者の端末から受信した支給決済手段情報を該当発給会社サーバに伝送して、該当支給決済手段に対する加入者の認証サービス加入有無確認を要請するステップ；
をさらに含み、
前記コールバックＵＲＬメッセージ伝送ステップは、前記発給会社サーバから認証サービス加入者と判断されることによる認証サービス加入の確認応答を受信した場合に行われることを特徴とする、請求項２６に記載の移動通信端末を用いた認証および決済方法。
【請求項２８】
前記購買情報確認および決済手段情報伝送ステップは、
コールバックＵＲＬメッセージのコールバック機能によって支払サーバに接続した購買者の移動通信端末に支給決済手段情報の入力および伝送を要請し、前記購買者の移動通信端末から支給決済手段情報を受信するステップであることを特徴とする、請求項２５に記載の移動通信端末を用いた認証および決済方法。
【請求項２９】
前記購買情報確認および決済手段情報伝送ステップ以後、認証要請ステップ以前に、
前記支払サーバが購買者の移動通信端末から受信した支給決済手段情報を発給会社サーバに伝送して、該当支給決済手段に対する加入者の認証サービス加入有無確認を要請するステップ；
をさらに含み、
前記認証要請ステップは、
前記発給会社サーバから認証サービス加入者と判断されることによる認証サービス加入の確認応答を受信した場合に行われることを特徴とする、請求項２８に記載の移動通信端末を用いた認証および決済方法。
【請求項３０】
支給決済手段を発給および運営する発給会社サーバ、国内外発給会社サーバの接続ＵＲＬ情報を管理する発給会社の情報管理中継サーバ、決済承認を行う買入会社サーバを中継する支払サーバを含んでなされ、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにする認証／決済システムにおける認証／決済方法であって、
販売者の端末から移動通信端末番号と、ユーザの決済認証情報を除いた取引購買情報を含む決済情報が受信されて決済が要請されれば、支払サーバ接続のためのＵＲＬ情報を含むコールバックＵＲＬメッセージ（ＳＭＳまたはＭＭＳ）を生成し、これを購買者の移動通信端末に伝送するコールバックＵＲＬメッセージ伝送ステップと；
前記コールバックＵＲＬメッセージのコールバック機能によって支払サーバに接続した購買者の移動通信端末と決済金額を含む購買者の購買内訳および決済情報の確認過程を行う購買情報確認および決済手段情報伝送ステップと；
決済情報の確認がなされれば、前記支払サーバが前記発給会社の情報管理中継サーバから獲得した発給会社サーバの接続ＵＲＬ情報を用いて、支払サーバに接続した購買者の移動通信端末の接続を発給会社サーバに自動リダイレクションさせるリダイレクションメッセージを前記購買者の移動通信端末に伝送するリダイレクション要請ステップと；
発給会社サーバが購買者の移動通信端末から受信した決済認証情報と事前登録されている決済認証情報との比較によって該当取引に対する認証を行い、その認証成功の有無の結果を支払サーバに伝送すれば、買入会社サーバが前記発給会社サーバからの認証結果を用いて該当支給決済手段の決済承認処理を行えるようにするために、前記発給会社サーバから受信した認証結果と、販売者の端末から受信した決済情報とを買入会社サーバに伝送する認証結果返信ステップと；
を含んでなることを特徴とする、移動通信端末を用いた認証および決済方法。
【請求項３１】
前記システムは国内外発給会社サーバの接続ＵＲＬ情報を管理する発給会社の情報管理中継サーバをさらに含んでなされ、
前記コールバックＵＲＬメッセージ伝送ステップ以前に、
販売者の端末から支給決済手段情報を受信すれば、前記支払サーバが発給会社の情報管理中継サーバに前記支給決済手段情報を伝送するステップと；
前記発給会社の情報管理中継サーバが該当発給会社サーバの接続ＵＲＬ情報を前記支払サーバに伝送するステップと；をさらに含んでなされ、
前記購買情報確認および決済手段情報伝送ステップは、
コールバックＵＲＬメッセージのコールバック機能によって支払サーバに接続した購買者の移動通信端末に前記販売者の端末から受信した支給決済手段情報を伝送して支給決済手段情報の確認を要請するステップと；
前記購買者の移動通信端末から支給決済手段情報の確認応答を受信すれば、前記獲得した発給会社サーバの接続ＵＲＬ情報を用いて、支払サーバに接続した購買者の移動通信端末の接続を発給会社サーバに自動リダイレクションさせるリダイレクションメッセージを前記購買者の移動通信端末に伝送するステップと；
からなることを特徴とする、請求項３０に記載の移動通信端末を用いた認証および決済方法。
【請求項３２】
前記購買情報確認および決済手段情報伝送ステップは、
コールバックＵＲＬメッセージのコールバック機能によって支払サーバに接続した購買者の移動通信端末に支給決済手段情報の入力を要請するステップと；
購買者の移動通信端末から支給決済手段情報が入力および伝送されれば、発給会社の情報管理中継サーバに前記支給決済手段情報を伝送するステップと；
前記発給会社の情報管理中継サーバが該当発給会社サーバの接続ＵＲＬ情報を前記支払サーバに伝送するステップと；
前記獲得した発給会社サーバの接続ＵＲＬ情報を用いて、支払サーバに接続した購買者の移動通信端末の接続を発給会社サーバに自動リダイレクションさせるリダイレクションメッセージを前記購買者の移動通信端末に伝送するステップと；
からなることを特徴とする、請求項３０に記載の移動通信端末を用いた認証および決済方法。
【請求項３３】
前記発給会社の情報管理中継サーバが発給会社サーバの接続ＵＲＬ情報を伝送するステップは、
該当支給決済手段に対する発給会社サーバに前記支給決済手段情報を伝送して、該当支給決済手段に対する加入者の認証サービス加入有無確認を要請するステップと；
前記発給会社サーバから該当加入者が認証サービス加入者と判断されることによる認証サービス加入の確認応答を受信すれば、該当発給会社サーバの接続ＵＲＬ情報を前記支払サーバに伝送するステップと；
からなることを特徴とする、請求項３１または請求項３２に記載の移動通信端末を用いた認証および決済方法。
【請求項３４】
前記コールバックＵＲＬメッセージ伝送ステップで、
前記支払サーバは、販売者の端末から購買情報が伝送されれば、伝送された購買情報を含むコールバックＵＲＬメッセージ（ＳＭＳまたはＭＭＳ）を生成し、前記購買者の移動通信端末に伝送することを特徴とする、請求項２５または請求項３０に記載の移動通信端末を用いた認証および決済方法。
【請求項３５】
前記認証結果返信ステップは、
前記発給会社サーバから受信した認証結果と、販売者の端末から受信した決済情報とを含む決済承認要請メッセージを前記買入会社サーバに伝送するステップと；
前記買入会社サーバから前記認証結果を参照して、承認処理した承認結果を受信すれば、前記承認結果を販売者の端末および購買者の移動通信端末に伝送するステップ；
を含んでなることを特徴とする、請求項２５または請求項３０に記載の移動通信端末を用いた認証および決済方法。
【請求項３６】
前記買入会社サーバは販売者の端末からの承認要請または加盟店システムおよび有線ネットワーク中継システムのうちいずれか１つを経由した販売者の端末からの承認要請により、承認を処理して、承認結果を前記販売者の端末および購買者の移動通信端末に伝送し、
前記認証結果返信ステップは、
前記発給会社サーバから受信した認証結果を買入会社サーバと販売者の端末および購買者の移動通信端末に伝送するステップであることを特徴とする、請求項２５または請求項３０に記載の移動通信端末を用いた認証および決済方法。
【発明の詳細な説明】
【技術分野】
【０００１】
本発明は、移動通信端末を用いた認証および決済システムと方法に関し、より詳しくは、販売者と購買者との間のオフラインにおける直接販売取引および地上波放送、衛星放送、カタログなどのマスメディアと印刷媒体を用いた通信販売取引において、購買者の決済情報の露出なく販売者の端末（移動通信端末、有線または専用線接続端末）、および購買者の移動通信端末を用いて認証および承認を処理するが、認証と承認の処理が分離して行われるようにする移動通信端末を用いた認証および決済システムと方法に関するものである。
【背景技術】
【０００２】
コンピュータと情報通信の発展は誰も予測できない程に早く進んでおり、いつどこで新しい技術が生まれるかは、それこそ誰も知らないことである。特に仮想空間における変化は、想像を超えて進んでいる。教育、会議、展示、診療だけでなく商取引もまたインターネット空間でなされており、我々は今や産業社会で住んでいるのではなく情報化社会に生きているといえる程に、最先端情報通信技術は急速に我々の日常生活に近づいてきている。
【０００３】
最近インターネットにおける電子商取引と電子商取引を用いたサイバーショッピングモールに全世界の国家と企業の関心が集中している。サイバーショッピングモールは、時間と場所、距離の制約なく商品情報から代金決済、デジタル製品の場合には配送まで一括して処理を行ってくれるため、消費者にとっては便利性と時間節約の効果をもたらし、企業にとっては流通段階の縮小による費用減少、少ない費用によって企業広報の効果をもたらすことができ、消費者と企業の両方から多くの関心を集めている。
【０００４】
このように、電子商取引が着実に成長を繰り返しながら、支払い決済市場も早く拡大している。今までインターネット上の支払い手段は、クレジットカードと無通帳型オンライン入金が大部分を占めていたが、最近では携帯電話や有無線ＡＲＳを用いた支給決済手段が新しく登場し、急速な速度で比重を広めている。
【０００５】
特に、コンテンツの有料化に勢いがついてからは、１、０００ウォン未満の有料コンテンツを決済するための手段として小額決済サービスが多く増えた。このような小額決済サービスとして有無線電話を用いた決済サービスは、小額の商品購入後に支払いが容易で利用が便利であるという長所があるために特に青少年層で多く用いられており、次第に使用頻度が増加する一方で、無通帳型の入金比率は減少している傾向にある。
【０００６】
現在、インターネットを用いた電子決済システムは、多様な認証および承認手続きにより多様なシステムと方法が適用されている。そのうち、ＳＳＬ（Ｓｅｃｕｒｅ  Ｓｏｃｋｅｔ  Ｌａｙｅｒ）基盤の電子決済システムは、ユーザに対する決済および決済認証情報をショッピングモールと発給会社（Ｉｓｓｕｅｒ）などにＳＳＬ基盤により暗号化して伝達する方法であって、開発および適用が比較的容易であったが、保安性が低く、カード所持者に対する認証方法は、別の決済認証情報を用いなければならないという問題点があった。
【０００７】
また、上記のような低い保安性を強化するために、１９９７年に発表されたＳＥＴ（Ｓｅｃｕｒｅ  Ｅｌｅｃｔｒｏｎｉｃ  Ｔｒａｎｓａｃｔｉｏｎ）は、認証書（ユーザ個人認証書を含む）基盤によって支払い情報が露出しないように二重暗号化を行って保安性を高めて安定性を確保したが、システムが複雑で実現が難しいという短所によって広く用いられずにいるという問題点がある。
【０００８】
最近では、発給会社に対するユーザ認証と支払い承認過程とを分離して、ユーザに対する認証は発給会社が責任を負うようにして決済過程に直接参加する方法として、３−Ｄ  Ｓｅｃｕｒｅ  Ｐｒｏｔｏｃｏｌを用いたＶＩＳＡのＶｅｒｉｆｉｅｄ  ｂｙ  ＶＩＳＡ、ＭａｓｔｅｒＣａｒｄのＳｅｃｕｒｅＣｏｄｅ、ＪＣＢのＪ−Ｓｅｃｕｒｅなどの認証決済サービスがクレジットカード会員会社を中心に進められており、国内でも法的制度の要求事項によって別の公認認証書基盤の電子決済サービスも並行されている。
【０００９】
一方、オフライン決済では、既存の磁気クレジットカードの偽造および盗用に対応するために保安性および安定性が向上したチップ基盤のクレジットカード（ＥＭＶ規格が適用されたスマートカード基盤のクレジットカード）が導入されてきた。このような技術的要求および変化は、その間に急増しているカード決済情報に対する複製と偽造による不当使用を除去するためのＶＩＳＡ、ＭａｓｔｅｒＣａｒｄおよび会員会社の対応策であった。
【００１０】
しかし、このようなオン／オフラインにおける新しいユーザ認証技術の導入は、通常の取引方式の特性上、未だ一部のサービス事業分野では適用されないでいる。
このような分野としては、購買者と販売者との間の取引および契約のために決済を行なう直接販売および訪問販売がある。このように、購買者と販売者との間で対面しながら購入する訪問販売の購買過程および電話通話を用いた通信販売の購買過程では、購買者は販売者にクレジットカードなどの決済情報を口頭で伝達するようになり、販売者は口頭で伝達された購買者の決済情報を用いて購買者の何の認証過程なく決済承認を要請して決済過程を終了するようになる。
【００１１】
このように、テレマーケティングなど取引の性格上、事業者が信用カード会社と加盟店の特約を結び、別の認証手続きなくカード番号、カード有効期間または住民票コードの一部だけで売り上げ表を手記によって作成し、売り上げ伝票に消費者の署名なくカード会社に信用販売代金を請求する取引方法として、通信販売、直接訪問販売などがあり、このような取引を手記取引といい、手記取引加盟店に分類することができる。
【００１２】
このような直接訪問販売および通信販売などの手記決済過程では購買者の決済情報に対する別の認証過程がないだけでなく、決済過程上に販売者に重要な購買者の決済情報を露出するほかないという問題点がある。
【００１３】
一方、このような手記取引などの通信販売や直接販売分野では取引の特性上別の認証過程を含むことができず、常に決済情報が露出し得るという危険を含んでおり、購買者に対する直接的金融被害が発生する問題点がある。
【００１４】
また、このような手記取引加盟店は、金融機関に手記取引の危険性に比例する担保のために承認限度の一定金額を予め預けておくようになっており、初期投資負担が増加するだけでなく事業に対する安定性確保の困難があり、金融機関は信頼性が確保されない手記取引加盟店を維持、管理するための別の金融管理費用が追加されるという連鎖的な問題点がある。
【発明の開示】
【発明が解決しようとする課題】
【００１５】
したがって、本発明は、上記のような従来の手記取引決済システムの諸般の短所と問題点を解決するためのものであり、販売者と購買者との間のオフラインにおける直接販売取引および地上波放送、衛星放送、カタログなどのマスメディアと印刷媒体を用いた通信販売取引において、購買者の決済情報の露出なく販売者の端末（移動通信端末、有線または専用線接続端末）および購買者の移動通信端末を介して認証および決済を行うが、認証と承認の処理が分離して行われるようにし、地域的特性および取引の特性によって支給決済端末の設置が不可能であるか、経済的に設置の効率性を期待し難いオフライン加盟店や、自販機のような無点舗加盟店で安全で便利な決済プロセスを提供する移動通信端末を用いた認証および決済システムと方法を提供することに本発明の目的がある。
【課題を解決するための手段】
【００１６】
本発明の前記目的は、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、クレジットカード、電子マネー、携帯電話小額決済、口座振り替えなどの支給決済手段を発給および管理、運営する発給会社サーバと；決済承認および加盟店に対する買入、精算のための買入会社サーバと；販売者の端末からの要請により前記発給会社サーバと買入会社サーバとの間に中継して認証および決済サービスを提供するための支払サーバと；を含んでなる認証／決済システムであって、前記支払サーバは、販売者の端末から購買者の移動通信端末番号と、ユーザ決済認証情報を除いた取引購買情報を含む決済情報とを受信すれば、ユーザの認証サービス加入有無の確認過程を発給会社サーバと進めて、購買者の移動通信端末に支払サーバの接続ＵＲＬ情報を含むコールバック（Ｃａｌｌｂａｃｋ）ＵＲＬメッセージ（ＳＭＳまたはＭＭＳ）を伝送し、前記購買者の移動通信端末がコールバックＵＲＬメッセージのコールバック機能によって支払サーバに接続されれば、決済金額を含む購買者の購買内訳および決済情報の確認過程を進め、購買者の移動通信端末からパスワード、ＰＩＮまたはチップ認証暗号（Ｃｈｉｐ  Ａｕｔｈｅｎｔｉｃａｔｉｏｎ  Ｃｒｙｐｔｏｇｒａｍ）のようなユーザの決済認証情報を受信して、受信した決済認証情報と購買情報および支給決済手段情報を含む決済情報を前記発給会社サーバに伝送して決済認証を要請し、発給会社サーバが該当取引に対する認証を行った後認証成功の有無の結果を伝送すれば、発給会社サーバから受信した認証結果と販売者の端末から受信した決済情報を前記買入会社サーバに伝送して買入会社サーバによって決済承認がなされるようにし、前記発給会社サーバは、前記支払サーバからユーザの認証サービス加入に対する確認要請時に返信をし、支払サーバから決済認証情報と購買情報および支給決済手段情報を含む決済情報が伝送され、決済認証が要請されれば、該当決済認証情報と事前登録および決済手段発給時に格納されている決済認証情報との比較によって認証処理を行って、その認証成功の有無の結果を前記支払サーバに伝送し、前記買入会社サーバは、前記支払サーバから発給会社の認証結果を含む決済承認要請を受信すれば、該当取引に対する決済承認を処理する移動通信端末を用いた認証および決済システムによって達成される。
【００１７】
そして、本発明の前記目的は、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、支給決済手段を発給および管理、運営する発給会社サーバと、国内外発給会社サーバの接続ＵＲＬ情報を管理する発給会社の情報管理中継サーバと、決済承認および加盟店に対する買入、精算のための買入会社サーバと、販売者の端末からの要請により前記発給会社サーバと買入会社サーバとの間に中継して認証および決済サービスを提供するための支払サーバとを含んでなる認証／決済システムであって、前記支払サーバは、販売者の端末から購買者の移動通信端末番号と、ユーザの決済認証情報を除いた取引購買情報を含む決済情報とを受信すれば、購買者の移動通信端末に支払サーバの接続ＵＲＬ情報を含むコールバックＵＲＬメッセージ（ＳＭＳまたはＭＭＳ）を伝送し、前記発給会社の情報管理中継サーバから該当支給決済手段に対する発給会社サーバの接続ＵＲＬ情報を獲得し、これを前記コールバックＵＲＬメッセージのコールバック機能によって支払サーバに接続した購買者の移動通信端末に伝送し、購買者の移動通信端末と発給会社サーバとの間に認証がなされるようにし、前記発給会社サーバから認証結果を受信すれば、販売者の端末から受信した決済情報を含み、これを買入会社サーバに伝送して買入会社サーバによって決済承認がなされるようにし、前記発給会社の情報管理中継サーバは、前記支払サーバから支給決済手段情報を受信すれば、該当支給決済手段に対する発給会社サーバの接続ＵＲＬ情報を支払サーバに伝送し、前記発給会社サーバは、購買者の移動通信端末が前記発給会社サーバ接続ＵＲＬに接続されれば、該当支給決済手段に対する決済認証情報の入力および伝送を要請し、購買者の移動通信端末から受信した決済認証情報を事前登録および決済手段発給時に格納されている決済認証情報と比較して該当取引に対する認証処理を遂行し、前記買入会社サーバは、前記支払サーバから認証結果を受信すれば、受信した認証結果を用いて承認を処理する移動通信端末を用いた認証および決済システムによって達成される。
【００１８】
また、本発明の前記目的は、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、販売者の端末からの要請により支給決済手段を発給および管理、運営する発給会社サーバと決済承認および加盟店に対する買入、精算のための買入会社サーバ間に中継して認証および決済サービスを提供するための支払サーバを含んでなる認証／決済システムであって、前記支払サーバは、販売者の端末から移動通信端末番号と、ユーザの決済認証情報を除いた取引購買情報を含む決済情報とを受信すれば、購買者の移動通信端末が支払サーバに接続することができるようにするＵＲＬ情報を含むコールバックＵＲＬメッセージ（ＳＭＳまたはＭＭＳ）を生成して購買者の移動通信端末に伝送するコールバックＵＲＬメッセージ伝送部と、前記コールバックＵＲＬメッセージのコールバック機能によって前記購買者の移動通信端末が支払サーバに接続されれば、購買者の移動通信端末と決済金額を含む購買者の購買内訳および決済情報の確認過程を行う決済情報確認処理部と、決済情報の確認がなされれば、前記購買者の移動通信端末に決済認証情報の入力を要請して、決済認証情報が伝送されれば該当購買情報および支給決済手段情報を含む決済情報と決済認証情報を前記発給会社サーバに伝送して決済認証を要請し、前記発給会社サーバから認証結果を受信すれば、販売者の端末から受信した決済情報を含んでこれを買入会社サーバに伝送し、買入会社サーバによって決済承認がなされるようにする認証結果返信部と、を含んでなる移動通信端末を用いた認証および決済システムによって達成される。
【００１９】
そして、本発明の前記目的はメッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにし、販売者の端末からの要請により支給決済手段を発給および管理、運営する発給会社サーバ、国内外発給会社サーバの接続ＵＲＬ情報を管理する発給会社の情報管理中継サーバ、決済承認および加盟店に対する買入、精算のための買入会社サーバ間に中継して認証および決済サービスを提供するための支払サーバを含んでなる認証／決済システムであって、前記支払サーバは、販売者の端末から移動通信端末番号と、ユーザの決済認証情報を除いた取引購買情報を含む決済情報とを受信すれば、購買者の移動通信端末が支払サーバに接続することができるようにするＵＲＬ情報を含むコールバックＵＲＬメッセージ（ＳＭＳまたはＭＭＳ）を生成して購買者の通信端末に伝送するコールバックＵＲＬメッセージ伝送部と、前記コールバックＵＲＬメッセージのコールバック機能によって前記購買者の移動通信端末が接続されれば、購買者の移動通信端末と決済金額を含む購買者の購買内訳および決済情報の確認過程を行う決済情報確認処理部と、販売者の端末と購買者の移動通信端末のうちいずれか１つから支給決済手段情報を受信すれば、前記発給会社の情報管理中継サーバに前記受信した支給決済手段情報を伝送して、該当支給決済手段に対する発給会社サーバの接続ＵＲＬ情報を獲得する発給会社サーバ接続ＵＲＬ獲得部と、前記決済情報確認処理がなされた購買者の移動通信端末に、前記発給会社サーバ接続ＵＲＬ獲得部によって既に獲得した発給会社サーバの接続ＵＲＬ情報を用いて、支払サーバに接続した購買者の移動通信端末の接続を発給会社サーバに自動リダイレクションさせるリダイレクションメッセージを伝送して、前記購買者の移動通信端末の接続が発給会社サーバにリダイレクション接続されて発給会社サーバを介して認証がなされるようにする発給会社サーバ接続ＵＲＬ伝送部と、発給会社サーバに接続された購買者の移動通信端末と発給会社サーバとの間に該当支給決済手段に対する決済認証情報確認による認証処理がなされることによって前記発給会社サーバから認証結果を受信すれば、販売者の端末から受信した決済情報を含んでこれを買入会社サーバに伝送し、買入会社サーバによって決済承認がなされるようにする認証結果返信部と、を含んでなる移動通信端末を用いた認証および決済システムによって達成される。
また、本発明の前記目的は、支給決済手段を発給および運営する発給会社サーバと、決済承認を行う買入会社サーバとを中継する支払サーバを含んでなされ、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにする認証／決済システムにおける認証／決済方法であって、販売者の端末から移動通信端末番号と、ユーザの決済認証情報を除いた取引購買情報を含む決済情報が受信されて決済が要請されれば、支払サーバの接続ＵＲＬ情報を含むコールバックＵＲＬメッセージ（ＳＭＳまたはＭＭＳ）を生成し、これを購買者の移動通信端末に伝送するコールバックＵＲＬメッセージ伝送ステップと、前記コールバックＵＲＬメッセージのコールバック機能によって支払サーバに接続した購買者の移動通信端末と決済金額を含む購買者の購買内訳および情報の確認過程を行う購買情報確認および決済手段情報伝送ステップと、決済情報の確認がなされれば、購買者の移動通信端末に該当支給決済手段に対する決済認証情報の入力を要請して、購買者の移動通信端末から決済認証情報を受信すれば、決済認証情報と支給決済手段情報とを該当発給会社サーバに伝送して決済認証を要請する認証要請ステップと、発給会社サーバが購買者の移動通信端末から受信した決済認証情報と事前登録されている決済認証情報との比較によって該当取引に対する認証を行い、その認証成功の有無の結果を支払サーバに伝送すれば、買入会社サーバが前記発給会社サーバからの認証結果を用いて該当支給決済手段の決済承認処理を行えるようにするために、前記発給会社サーバから受信した認証結果と、販売者の端末から受信した決済情報とを買入会社サーバに伝送する認証結果返信ステップと、を含んでなる移動通信端末を用いた認証および決済方法によって達成される。
【００２０】
そして、本発明の前記目的は、支給決済手段を発給および運営する発給会社サーバ、国内外発給会社サーバの接続ＵＲＬ情報を管理する発給会社の情報管理中継サーバ、決済承認を行う買入会社サーバを中継する支払サーバを含んでなされ、メッセージの受信および無線インターネット接続が可能な購買者の移動通信端末を用いて販売者と購買者との間のオフラインにおける直接販売取引および地上波放送、衛星放送、カタログなどのマスメディアと印刷媒体を用いた通信販売取引による決済がなされるようにする認証／決済システムにおける認証／決済方法であって、販売者の端末から移動通信端末番号と、ユーザの決済認証情報を除いた取引購買情報を含む決済情報が受信されて決済が要請されれば、支払サーバ接続のためのＵＲＬ情報を含むコールバックＵＲＬメッセージ（ＳＭＳまたはＭＭＳ）を生成し、これを購買者の移動通信端末に伝送するコールバックＵＲＬメッセージ伝送ステップと、前記コールバックＵＲＬメッセージのコールバック機能によって支払サーバ接続した購買者の移動通信端末と決済金額を含む購買者の購買内訳および決済情報の確認過程を行う購買情報確認および決済手段情報伝送ステップと、決済情報の確認がなされれば、前記支払サーバが前記発給会社の情報管理中継サーバから獲得した発給会社サーバの接続ＵＲＬ情報を用いて、支払サーバに接続した購買者の移動通信端末の接続を発給会社サーバに自動リダイレクションさせるリダイレクションメッセージを前記購買者の移動通信端末に伝送するリダイレクション要請ステップと、発給会社サーバが購買者の移動通信端末から受信した決済認証情報と事前登録されている決済認証情報との比較によって該当取引に対する認証を行い、その認証成功の有無の結果を支払サーバに伝送すれば、買入会社サーバが前記発給会社サーバからの認証結果を用いて該当支給決済手段の決済承認処理を行えるようにするために、前記発給会社サーバから受信した認証結果と、販売者の端末から受信した決済情報とを買入会社サーバに伝送する認証結果返信ステップと、を含んでなる移動通信端末を用いた認証および決済方法によって達成される。
本発明で、移動通信端末は、ＳＭＳまたはＭＭＳなどのメッセージの受信および無線インターネット接続機能を基本機能とし、バーチャルマシンのような端末応用ソフトウェアを通した無線インターネット接続、特定の短縮一連番号を用いた無線インターネット接続、カメラが内蔵されている移動通信端末でパターン化されたイメージコードが印刷された二次元バーコードの接続ＵＲＬ情報を用いた無線インターネット接続などの多様な無線インターネット接続機能とスマートカード形態のチップを内部に装着することのできるスロットが備わっているか、チップを含むプラスチック形態のカードを決済のために、必要時に携帯端末に挿入できる形態のスロットを備えた移動通信端末の機能を含む。
【発明を実施するための最良の形態】
【００２１】
本発明の前記目的と技術的構成およびそれにともなう作用効果に関する詳しい事項は本発明の明細書に添付された図面に基づく以下の詳細な説明によって明確に理解できる。
【００２２】
先ず、図１は、本発明の実施例に係る認証および決済システムの構成図であり、図２は、図１の支払サーバ構成図であって、購買者の移動通信端末が支払サーバを介して認証を行う実施例を示したのである。
【００２３】
図に示すように、本発明の実施例の認証および決済システム１００は、購買者の移動通信端末１０および移動通信網、有線または専用線接続が可能な販売者の端末２０と移動通信網１１を介して接続され、購買者の移動通信端末１０および販売者の端末２０と無線インターネット接続が可能な支払サーバ１１０、前記支払サーバ１１０を介して、認証および承認がなされるようにする発給会社サーバ１２０、買入会社サーバ１３０、支払サーバ１１０と買入会社サーバ１３０を中継する中継サーバ１４０を含んでなる。
【００２４】
本発明で購買者の移動通信端末１０および販売者の移動通信端末２０は、短文メッセージ（ＳＭＳ）、マルチメディアメッセージ（ＭＭＳ）などのメッセージ受信および無線インターネット接続機能を基本機能とし、バーチャルマシンのような端末応用ソフトウェアを通した無線インターネット接続、特定の短縮一連番号を用いた無線インターネット接続、カメラが内蔵されている移動通信端末でパターン化されたイメージコードが印刷された二次元バーコードの接続ＵＲＬ情報を用いた無線インターネット接続などの多様な無線インターネット接続機能とスマートカード形態のチップを内部に装着できるスロットが備わっているか、決済過程で必要時にチップを含むプラスチック形態のカードを端末に挿入できる形態のスロットを備えた移動通信端末の機能を含むことができ、実際の実施例として、販売者の移動通信端末が自販機内部に設置されて支払サーバと連動されることができ、ホームショッピングおよび直接訪問販売サービス業者などのコールセンターとＡＲＳシステムなどが本発明の前記目的を行う過程で、販売者の移動通信端末と支払サーバとの接続過程を中継するか、販売者の代わりに購買者から購買者の移動通信端末情報、購買内訳および決済情報などを支払サーバに中継、送信することができる。
【００２５】
また、前記支払サーバ１１０は、販売者の端末上のＶＭアプリケーションなどの端末応用ソフトウェアの駆動を通した無線インターネット接続だけでなく、有線インターネットまたは専用回線を介して通信接続ができる販売者の端末２０の接続を許容するサーバとして、販売者の端末２０からのデータ通信網を用いた接続だけでなく、音声網を通した接続を許容することもできる。したがって、前記支払サーバ１１０は、有線または無線電話としての販売者の端末２０との音声設定を通した販売者からの認証および決済要請がなされるようにするＡＲＳシステムになり得る。
【００２６】
また、本発明における支給決済手段は、クレジットカード、電子マネー、メンバーシップカ―ド、携帯電話小額決済、口座振り替えなどの多様な支給決済手段を含む概念であり、その他多様な支給決済手段をさらに含むことができる。
【００２７】
そして、前記の販売者の端末類型、支払サーバ接続経路および方法と支給決済手段に対する概念は以後の実施例にも同じように適用される。
【００２８】
先ず、支払サーバ１１０は、販売者の端末２０から購買者の決済手段に対する決済認証情報を除いた、購買者の移動通信端末番号と、購買情報（購買品目情報、購買決済金額情報）および／または支給決済手段情報（例：クレジットカード番号、電子マネー識別情報、口座振り替え口座番号など）を含む決済情報を受信すれば、購買者の決済情報を用いて、購買者の認証サービス加入有無を、発給会社サーバを介して確認した後、支払サーバ１１０への接続のためのコールバックＵＲＬメッセージ（ＳＭＳまたはＭＭＳ）を生成して購買者の移動通信端末１０に伝送する。
【００２９】
そして、前記支払サーバ１１０は、前記コールバックＵＲＬメッセージのコールバック機能によって接続した購買者の移動通信端末１０と前記販売者の移動通信端末２０から受信した購買内訳、および支給決済手段情報を送受信し、購買内訳確認および購買者の支給決済手段情報の確認過程を行った後、購買者の支給決済手段に対するパスワード、ＰＩＮ情報またはチップ認証暗号のような決済認証情報の入力および伝送を要請し、購買者の移動通信端末１０から受信した決済認証情報および決済情報を発給会社サーバ１２０に伝送して、決済認証を要請する。
【００３０】
上記にて、支払サーバ１１０は、購買者の支給決済手段情報を、決済を要請した販売者の移動通信端末２０から初期に受信するか、支払サーバ１１０に接続した購買者の移動通信端末１０との決済情報の確認過程で購買者の移動通信端末１０から受信できる。
【００３１】
そして、前記支払サーバ１１０は、前記購買者の移動通信端末１０または販売者の移動通信端末２０から支給決済手段情報を受信すれば、受信した支給決済手段情報を発給会社サーバ１２０に伝送して、該当支給決済手段の加入者、すなわち購買者が発給会社サーバ１２０の認証サービスに加入しているか否かを要請し、発給会社サーバ１２０から加入有無が確認されれば、以後の過程を行うことができる。
【００３２】
また、前記支払サーバ１１０は、前記発給会社サーバ１２０から前記移動通信端末１０との認証遂行結果を受信し、受信した認証結果を前記買入会社サーバ１３０に伝送して買入会社サーバ１３０によって決済承認がなされるようにする。
【００３３】
この時、決済承認の要請は、支払サーバ１１０が前記認証結果の添付された決済承認要請メッセージを買入会社サーバ１３０に伝送することによってなされ、支払サーバ１１０が認証結果を買入会社サーバ１３０と販売者の移動通信端末２０および購買者移動通信端末１０に伝送して、販売者の移動通信端末２０が再び買入会社サーバ１３０に直接決済承認を要請することによってなされ得る。
【００３４】
発給会社サーバ１２０は、支給決済手段を発給および管理、運営し、支払サーバ１１０から受信した認証情報および決済情報と、支給決済手段の発給時格納するか、ユーザによる事前の登録過程を介して格納されている決済手段に対するユーザの決済認証情報を比較および検証することによって該当取引の取引に対する認証を行う。
【００３５】
一方、前記購買者の移動通信端末１０は前記支払サーバ１１０にパスワード、ＰＩＮまたはチップ認証暗号のような決済認証情報を暗号化して伝送し、支払サーバ１１０は暗号化された決済認証情報を発給会社サーバ１２０に伝送して、発給会社サーバ１２０は前記暗号化された決済認証情報を受信して復号化過程を行った後に決済認証情報を獲得して決済認証情報の比較、検証による認証過程を行うことが好ましい。
【００３６】
本発明で認証方式は、パスワード基盤、チップ方式、公認認証書を用いたデジタル署名方式、生体認識方式、乱数発生器および個人暗号テーブルカードを用いたＴｏｋｅｎ  Ａｕｔｈｅｎｔｉｃａｔｉｏｎ方式など多様な方式が適用され、前記の認証方式にともなう決済認証情報は様々な認証方式に対して購買者が直接入力または移動通信端末にソフトウェアで実現された電子財布方式で格納されるか、スマートカード形態のチップおよびカードを内蔵または挿入できるスロットを備えた移動通信端末におけるスマートカード内部に格納された決済認証情報を電子財布の暗証番号またはスマートカードの暗証番号入力の確認過程を介してサーバに伝送しなければならない個人決済認証情報を包括的に含む概念として解釈されなければならない。
【００３７】
また、発給会社サーバ１２０は、認証サービス加入者に限って本発明のサービスが提供されるようにするために、前記支払サーバ１１０から支給決済手段情報を受信すれば、該当支給決済手段に対する購買者の認証サービスに加入有無を確認し、その結果を前記支払サーバ１１０に伝送することができる。このような場合、前記発給会社サーバ１２０は、自身が管理する支給決済手段の加入者に対する認証サービス加入有無に関する情報を管理しなければならない。
【００３８】
買入会社サーバ１３０は、支払サーバ１１０から前記発給会社サーバ１２０による認証結果を受信し、該当支給決済手段の決済承認および加盟店に対する買入、精算を行う役割を担当し、先に説明したように、支払サーバ１１０から認証結果が添付された決済承認要請メッセージを受信するか、支払サーバ１１０から認証結果を受信し、販売者の移動通信端末２０から別の承認要請を受信して承認処理を行うこともできる。
【００３９】
一方、図１では、支払サーバ１１０と買入会社サーバ１３０が直接接続することとして図示したが、前記支払サーバ１１０と買入会社サーバ１３０の間には決済承認および買入過程を中継するための中継サーバ１４０が追加される。
【００４０】
次に、図１によって説明した支払サーバ１１０の各構成要素を図２によって詳しく説明すれば次の通りである。
【００４１】
図に示すように、支払サーバ１１０は、コールバックＵＲＬメッセージ伝送部１１１、決済情報確認処理部１１２、認証結果返信部１１３を含んで構成される。
【００４２】
コールバックＵＲＬメッセージ伝送部１１１は、販売者の端末２０から購買者の移動通信端末番号を受信すれば、購買者の移動通信端末１０が支払サーバ１１０に接続することができるようにするＵＲＬ情報を含むコールバックＵＲＬメッセージ（ＳＭＳまたはＭＭＳ）を生成し、これを購買者の移動通信端末１０に伝送する。
【００４３】
この時、前記コールバックＵＲＬメッセージ伝送部１１１は、販売者の端末２０から受信した購買情報をインデックスできる識別子またはキー値を含んで前記コールバックＵＲＬメッセージを生成して、購買者の移動通信端末１０がコールバックＵＲＬメッセージを受信した後、支払サーバに接続する時にＵＲＬに含まれている購買情報およびインデックス、識別子などの情報によって、支払サーバ１１０で購買者と販売者との間の取引情報の連係性および取引情報の連続性を認識、管理することができるように支払サーバ１１０に接続されるようにすることが好ましい。
【００４４】
決済情報確認処理部１１２は、前記コールバックＵＲＬメッセージのコールバック機能によって前記購買者の移動通信端末１０が支払サーバ１１０に接続されれば、購買者の移動通信端末１０との決済関連購買情報の送受信を介して購買情報確認処理を行い、決済手段情報の入力要請および受信をする。
【００４５】
決済情報の確認処理過程は、購買情報の確認と支給決済手段情報の獲得および確認を意味し、本発明の実施例で前記支払サーバ１１０は前記支給決済手段情報を販売者の端末２０から獲得するか、決済情報の確認処理時に購買者の移動通信端末１０から獲得することができる。
【００４６】
したがって、前者の場合、支払サーバ１１０は、販売者の端末２０からの決済要請時に販売者の端末２０から移動通信端末番号と、ユーザの決済認証情報を除いた取引購買情報を含む決済情報とを受信し、決済情報確認処理部１１２は支払サーバ１１０に接続した購買者の移動通信端末１０に前記販売者の端末２０から受信した支給決済手段情報を伝送し、確認応答を受信することによって決済情報確認処理を行う。
【００４７】
そして、後者の場合、前記決済情報確認処理部１１２は、支払サーバ１１０に接続した購買者の移動通信端末１０に支給決済手段情報を入力することを要請し、購買者の移動通信端末１０から支給決済手段情報が入力および伝送されて決済情報確認処理を行う。
【００４８】
また、前記決済情報確認処理部１１２は、販売者の端末２０または購買者の移動通信端末１０から受信した支給決済手段情報を発給会社サーバ１２０に伝送して、認証サービス加入有無の確認を要請し、発給会社サーバ１２０から認証サービス加入の確認応答が受信された場合に限り、該当決済情報確認処理を行うか、認証結果返信部１１３による認証要請および処理がなされるようにできる。
【００４９】
認証結果返信部１１３は、決済情報の確認が完了すれば、購買者の移動通信端末１０に該当支給決済手段に対する決済認証情報の入力と伝送を要請し、決済認証情報を受信すれば、受信した決済認証情報および決済情報を発給会社サーバ１２０に伝送して、決済認証を要請し、前記発給会社サーバ１２０から認証結果を受信すれば、前記認証結果を前記買入会社サーバ１３０に伝送する。
【００５０】
前記の認証結果返信部１１３の購買者の移動通信端末１０に対する認証要請および受信の実行にＥｎｄ−ｔｏ−Ｅｎｄ無線暗号化チャネルおよび端末上の暗号化応用ソフトウェアを用いることを特徴とし、暗号化開示は支払サーバによって行われ、要請される決済認証情報は、パスワード、ＰＩＮなどの入力される決済認証情報またはスマートカードで生成されるチップ認証暗号、電子署名によって生成される電子署名暗号を含む決済認証情報であって、端末上で暗号化を経た後、支払サーバで復号化された後、抽出された決済認証情報を用いるようになる。
【００５１】
一方、本発明で承認要請は支払サーバ１１０または販売者の端末２０によって行われる。
【００５２】
したがって、前者の場合、前記認証結果返信部１１３は買入会社サーバ１３０に前記認証結果が添付された決済承認要請メッセージを伝送し、前記買入会社サーバ１３０から承認結果を受信すれば、承認結果を前記販売者の端末２０および購買者移動通信端末１０に伝送して決済が完了するようにする。
【００５３】
後者の場合、前記認証結果返信部１１３は、販売者の端末２０と前記買入会社サーバ１３０との間に直接的な決済承認処理がなされるように、前記買入会社サーバ１３０と販売者の端末２０および購買者の移動通信端末１０に認証結果メッセージを伝送する。
【００５４】
この時、買入会社サーバ１３０は、前記支払サーバ１１０から認証結果が受信され、認証結果が受信された件に対して販売者の端末２０から別の決済承認要請メッセージを受信すれば、該当決済承認を処理して、その結果を前記販売者の端末２０および購買者移動通信端末１０に伝送する。
【００５５】
次に、図３は、本発明の他の実施例に係る認証および決済システムの構成図であり、図４は、図３の支払サーバ構成図であって、購買者の移動通信端末が取引に対する決済認証情報を支払サーバの経由なく直接発給会社サーバに伝送し、該当取引に対する認証を行い、発給会社の情報管理中継サーバを介して発給会社サーバの接続ＵＲＬ情報を獲得する実施例を示したのである。
【００５６】
図に示すように、本発明の他の実施例に係る認証および決済システム２００は、購買者の移動通信端末１０と移動通信網１１を介して接続され、販売者の端末２０の移動通信網、有線または専用線接続が可能な支払サーバ２１０、前記支払サーバ２１０を介して認証および承認がなされるようにする発給会社サーバ２２０、発給会社の情報管理中継サーバ２３０、買入会社サーバ２４０を含んでなる。
【００５７】
この時、前記発給会社サーバ２２０は、図１の実施例とは異なり、移動通信網１１を介して購買者の移動通信端末１０と直接接続される。
【００５８】
前記支払サーバ２１０は、販売者の端末２０から購買者の移動通信端末番号と、購買情報（購買品目情報、購買金額情報）および／または支給決済手段情報（例：クレジットカード番号、電子マネー識別情報など）を含む決済情報を受信すれば、支払サーバ２１０への接続のためのコールバックＵＲＬメッセージ（ＳＭＳまたはＭＭＳ）を生成して購買者の移動通信端末１０に伝送する。
【００５９】
そして、前記支払サーバ２１０は、前記コールバックＵＲＬメッセージのコールバック機能によって、接続した購買者の移動通信端末１０に前記販売者の端末２０から受信した支給決済手段情報を伝送して、支給決済手段情報確認過程を行った後、該当支給決済手段の発給会社サーバの接続ＵＲＬ情報を用いて、支払サーバ２１０に接続した購買者の移動通信端末１０の接続を発給会社サーバ２２０に自動リダイレクションさせ、これによって購買者は移動通信端末１０を用いて発給会社サーバ２２０を介して認証を行うようになる。
【００６０】
上記にて、支払サーバ２１０は、購買者の支給決済手段情報を受信すれば、該当支給決済手段に対する発給会社サーバの接続ＵＲＬ情報獲得および購買者の認証サービス加入有無を確認するために発給会社の情報管理中継サーバ２３０に前記支給決済手段情報を伝送してＵＲＬ情報および認証サービス加入有無の確認を要請しなければならず、支給決済手段情報は決済を要請した販売者の端末２０から初期に受信するか、支払サーバ２１０に接続した購買者の移動通信端末１０との決済情報確認過程で購買者の移動通信端末１０から受信できる。
【００６１】
また、前記支払サーバ２１０は、前記発給会社サーバ２２０から前記移動通信端末１０との認証遂行結果を受信し、受信した認証結果を前記買入会社サーバ２４０に伝送して買入会社サーバ２４０によって決済承認がなされるようにする。
【００６２】
この時、決済承認の要請は、支払サーバ２１０が前記認証結果の添付された決済承認要請メッセージを買入会社サーバ２４０に伝送することによってなされ、支払サーバ２１０が認証結果を買入会社サーバ２４０と販売者の端末２０に伝送して販売者の端末２０が再び買入会社サーバ２４０に直接承認を要請することによってなされ得る。
【００６３】
発給会社サーバ２２０は、支給決済手段を発給および管理、運営し、購買者の移動通信端末１０が接続されれば、購買者の支給決済手段に対する決済認証情報の入力および伝送を要請し、購買者の移動通信端末１０から受信した決済認証情報を用いて該当取引に対する認証を行う。
【００６４】
この時、前記発給会社サーバの購買者の移動通信端末１０に対する認証要請および受信の実行にＥｎｄ−ｔｏ−Ｅｎｄ無線暗号化チャネルおよび端末上の暗号化応用ソフトウェアを用いることを特徴とし、暗号化開示は発給会社サーバによって行われ、要請される決済認証情報は、パスワード、ＰＩＮなどの入力される決済認証情報またはスマートカードで生成されるチップ認証暗号、電子署名によって生成される電子署名暗号を含む決済認証情報であって、端末上で決済認証情報を暗号化して伝送し、前記発給会社サーバ２２０は前記暗号化された決済認証情報を受信して復号化過程を行った後に決済認証情報を獲得して認証を行う。
【００６５】
本発明で認証方式は、パスワード基盤、チップ方式、公認認証方式、生体認識方式など多様な方式が適用され、前記決済認証情報は様々な認証方式に対して購買者が入力または伝送しなければならない個人決済認証情報を包括的に含む概念として解釈されなければならない。
【００６６】
発給会社の情報管理中継サーバ２３０は、購買者の移動通信端末１０が無線インターネット網を介して前記発給会社サーバ２２０に接続することができるようにするための複数の国内外発給会社サーバの接続ＵＲＬ情報を管理するものであり、前記支払サーバ２１０から支給決済手段情報を受信すれば、該当支給決済手段に対する発給会社のＵＲＬ情報を支払サーバ２１０に伝送する。
【００６７】
この時、前記発給会社の情報管理中継サーバ２３０は、前記支払サーバ２１０から受信した支給決済手段情報を該当発給会社サーバ２２０に伝送して該当支給決済手段の加入者、すなわち購買者が発給会社サーバ２２０の認証サービスに加入しているか否かを要請し、発給会社サーバ２２０から加入有無が確認されれば、発給会社のＵＲＬ情報と認証サービスの加入有無を共に支払サーバ２１０に伝送する。
【００６８】
このような場合、前記発給会社サーバ２２０は、自身が管理する支給決済手段の加入者に対する認証サービス加入有無に関する情報を管理して、発給会社の情報管理中継サーバ２３０から支給決済手段情報を受信すれば、該当支給決済手段の加入者すなわち、購買者の認証サービス加入有無を判断して、その結果を前記発給会社の情報管理中継サーバ２３０に伝送する。
【００６９】
買入会社サーバ２４０は、支払サーバ２１０から前記発給会社サーバ２２０による認証結果を受信して、該当支給決済手段の決済承認および加盟店に対する買入、精算を行う役割を担当し、先に説明したように、支払サーバ２１０から認証結果が添付された決済承認要請メッセージを受信するか、販売者の端末２０から別の承認要請を受信して承認処理を行うこともできる。
【００７０】
一方、図３では、支払サーバ２１０と買入会社サーバ２４０とが直接接続することとして示したが、前記支払サーバ２１０と買入会社サーバ２４０との間には決済承認および買入過程を中継するための中継サーバ２５０が追加され得る。
【００７１】
次に、図３によって説明した支払サーバ２１０の各構成要素を図４によって詳しく説明すれば次の通りである。
【００７２】
図に示すように、支払サーバ２１０は、コールバックＵＲＬメッセージ伝送部２１１と、決済情報確認処理部２１２と、発給会社サーバ接続ＵＲＬ獲得部２１３と、発給会社サーバ接続ＵＲＬ伝送部２１４と、認証結果返信部２１５とを含んで構成される。
【００７３】
コールバックＵＲＬメッセージ伝送部２１１は、販売者の移動通信網、有線または専用線接続が可能な端末２０から購買者の移動通信端末番号を受信すれば、購買者の移動通信端末が支払サーバ２１０に接続することができるようにするＵＲＬ情報を含むコールバックＵＲＬメッセージ（ＳＭＳまたはＭＭＳ）を生成し、これを購買者の移動通信端末１０に伝送する。
【００７４】
この時、前記コールバックＵＲＬメッセージ伝送部２１１は、販売者の端末２０から受信した購買情報をインデックスできる識別子またはキー値を含んでコールバックＵＲＬメッセージを生成し、購買者の移動通信端末１０がコールバックＵＲＬメッセージを受信した後、支払サーバに接続する時にＵＲＬに含まれている購買情報およびインデックス、識別子などの情報によって、支払サーバ２１０で購買者と販売者との間の取引情報の連係性および取引情報の連続性を認識、管理することができるように、支払サーバ２１０に接続されるようにすることが好ましい。
【００７５】
決済情報確認処理部２１２は、前記コールバックＵＲＬメッセージのコールバック機能によって前記購買者の移動通信端末１０が支払サーバ２１０に接続されれば、購買者の移動通信端末１０との決済関連購買情報の送受信によって購買情報確認処理を行う。
【００７６】
決済情報の確認処理過程は、購買情報の確認と支給決済手段情報の獲得および確認を意味し、本発明の実施例で前記支払サーバ２１０は前記支給決済手段情報を販売者の端末２０から獲得するか、決済情報確認処理時に購買者の移動通信端末１０から獲得することができる。
【００７７】
前者の場合、支払サーバ２１０は販売者の端末２０からの決済要請時に販売者の端末２０から移動通信端末番号と、ユーザの決済認証情報を除いた取引購買情報を含む決済情報とを受信し、この時決済情報確認処理部２１２は支払サーバ２１０に接続した購買者の移動通信端末１０に前記販売者の端末２０から受信した支給決済手段情報を伝送し、確認応答を受信することによって決済情報確認処理を行う。
【００７８】
そして、後者の場合、前記決済情報確認処理部２１２は、支払サーバ２１０に接続した購買者の移動通信端末１０に支給決済手段情報を入力することを要請し、購買者の移動通信端末１０から支給決済手段情報が入力および伝送されて決済情報確認処理を行う。
【００７９】
次に、発給会社サーバ接続ＵＲＬ獲得部２１３は、販売者の端末２０と購買者の移動通信端末１０のうちいずれか１つから支給決済手段情報を受信すれば、発給会社の情報管理中継サーバ２３０に前記受信した支給決済手段情報を伝送して、該当支給決済手段に対する発給会社サーバの接続ＵＲＬ情報を要請および獲得し、購買者の決済手段に対する認証サービス加入有無の結果も要請および獲得する。
【００８０】
発給会社サーバ接続ＵＲＬ伝送部２１４は、前記決済情報確認処理がなされた購買者の移動通信端末１０に、前記獲得した発給会社サーバの接続ＵＲＬ情報を用いて、支払サーバ２１０に接続した購買者の移動通信端末１０の接続を発給会社サーバ２２０に自動リダイレクションさせるリダイレクションメッセージを伝送して、前記購買者の移動通信端末１０のインターネット接続が前記発給会社サーバ２２０に自動リダイレクション接続されるようにする。
【００８１】
この時、前記リダイレクションメッセージは、購買者が肉眼で確認できるメッセージでなく、移動通信端末１０に受信されれば、購買者の確認なく自動的にリダイレクションアドレスに接続されるようにするメッセージをいう。
【００８２】
認証結果返信部２１５は、発給会社サーバ２２０に接続された購買者の移動通信端末１０と発給会社サーバ２２０との間に該当支給決済手段に対する決済認証情報確認による認証処理がなされることによって前記発給会社サーバ２２０から認証結果を受信すれば、前記認証結果を前記買入会社サーバ２４０に伝送する。
【００８３】
一方、本発明で承認要請は、支払サーバ２１０または販売者の端末２０が行える。この時、販売者の端末２０は加盟店システムおよび有線ネットワーク中継システムなどを用いて承認要請でき、承認要請のために経由するシステムに関係なく承認要請の主体は販売者の端末２０であるから、販売者の端末２０が承認要請を行うことにより統合され、これは以後の実施例にも適用される。
【００８４】
前者の場合、前記認証結果返信部２１５は、買入会社サーバ２４０に前記認証結果が添付された決済承認要請メッセージを伝送して、前記買入会社サーバ２４０から承認結果を受信すれば、承認結果を前記販売者の端末２０および購買者移動通信端末１０に伝送して決済が完了するようにする。
【００８５】
そして、後者の場合、前記認証結果返信部２１５は、販売者の端末２０と前記買入会社サーバ２４０との間に直接的な承認処理がなされるように、前記買入会社サーバ２４０と販売者の端末２０、購買者の移動通信端末１０に認証結果メッセージを伝送する。この時、買入会社サーバ２４０は、前記支払サーバ２１０から認証結果が受信され、認証結果が受信された件に対して販売者の端末２０および加盟店システムおよび有線ネットワーク中継システムなどを経由して別の決済承認要請メッセージを受信すれば、該当決済承認を処理して、その結果を前記加盟店システムおよび有線ネットワーク中継システムなどを介して販売者の端末２０に伝送するか、直接販売者の端末２０に伝送し、購買者の移動通信端末１０にも伝送することが好ましい。
【００８６】
次に、図１および図２によって説明した本発明のシステムにおける認証および決済過程を図５によって説明すれば次の通りである。
【００８７】
図５は、本発明の一実施形態に係る認証および決済方法を説明するためのフローチャートである。
【００８８】
図に示すように、購買者と販売者間にオフラインにおける直接販売取引および地上波放送、衛星放送、カタログなどのマスメディアと印刷媒体を用いた通信販売取引で所定の物品購買などに対する購買決定がなされることによって、購買者が販売者に自身の移動通信端末番号情報および支給決済手段情報を知らせれば（Ｓ００１）、販売者は販売者の端末２０を介して支払サーバ１１０に接続して、移動通信端末番号と、ユーザの決済認証情報を除いた、取引購買情報を含む決済情報を伝送する（Ｓ００２）。
【００８９】
この時、前記ステップＳ００１は、購買者が自販機やＡＲＳシステムのような販売者の端末２０に直接移動通信端末番号情報と支給決済手段情報とを入力することによってなされ、このような場合、Ｓ００２ステップで販売者の端末２０は購買者によって情報入力が完了すれば、前記支払サーバ１１０に接続して、前記入力された情報を自ら伝送する。
【００９０】
次に、支払サーバ１１０は、発給会社サーバ１２０に前記支給決済手段情報を伝送して加入者の認証サービス加入有無を問い合わせ（Ｓ００３）、発給会社サーバ１２０から認証サービス加入の確認応答を受信すれば（Ｓ００４）、支払サーバ接続のためのＵＲＬ情報を含むコールバックＵＲＬメッセージ（ＳＭＳまたはＭＭＳ）を生成し、これを購買者移動通信端末１０に伝送する（Ｓ００５）。
【００９１】
この時、前記コールバックＵＲＬメッセージは購買情報を含んで形成され、前記認証サービス加入有無の問い合わせおよび確認応答過程（Ｓ００３、Ｓ００４）は省略可能である。
【００９２】
次に、購買者は、自身の移動通信端末１０で受信したコールバックＵＲＬメッセージを確認して、決済の意志がある場合、メッセージのコールバック機能によって自身の移動通信端末１０が支払サーバ１１０に接続されるようにする（Ｓ００６）。
【００９３】
支払サーバ１１０は、前記Ｓ００２ステップで販売者の端末２０から受信した支給決済手段情報を含む無線インターネットページを前記購買者移動通信端末１０に伝送して支給決済手段情報の確認を要請し（Ｓ００７）、購買者の移動通信端末１０から支給決済手段情報確認応答を受信すれば（Ｓ００８）、購買者の移動通信端末１０に該当支給決済手段に対する決済認証情報（個人決済認証情報）の入力を要請する（Ｓ００９）。
【００９４】
この時、前記Ｓ００５ステップで支払サーバ１１０が伝送するコールバックＵＲＬメッセージに購買情報が含まれない場合には、前記ステップＳ００７で支給決済手段情報の確認要請時に購買情報を共に伝送するか、支給決済手段情報確認要請以前に購買情報確認過程を行うことができる。
【００９５】
次に、支払サーバ１１０は、購買者の移動通信端末１０から決済認証情報を受信すれば（Ｓ０１０）、受信した決済認証情報を発給会社サーバ１２０に伝送して、決済認証を要請し（Ｓ０１１）、発給会社サーバ１２０は該当決済認証情報と事前登録および決済手段発給時に格納されている決済認証情報との比較によって認証処理を行って（Ｓ０１２）、認証結果を前記支払サーバ１１０に伝送する（Ｓ０１３）。
【００９６】
次に、支払サーバ１１０は前記発給会社サーバ１２０から受信した認証結果を添付した決済承認要請メッセージを買入会社サーバ１３０に伝送し（Ｓ０１４）、買入会社サーバ１３０は該当支給決済手段の決済承認処理を行って（Ｓ０１５）、承認結果を前記支払サーバ１１０に伝送する（Ｓ０１６）。
【００９７】
支払サーバ１１０は、前記買入会社サーバ１３０からの承認結果を販売者の端末２０および購買者の移動通信端末１０に返信し（Ｓ０１７、Ｓ０１８）、承認結果の返信はＳＭＳ、ＭＭＳなどのメッセージまたは無線インターネットページの形式で伝送される。
【００９８】
前記Ｓ０１３ステップで、支払サーバ１１０は前記買入会社サーバ１３０に認証結果のみを送信することができ、この時買入会社サーバ１３０は販売者の端末２０からまたは加盟店システムおよび有線ネットワーク中継システムなどを経由して受信される別の承認要請によって承認処理を行う（図示せず）。
【００９９】
一方、図５には、支払サーバ１１０が販売者の端末２０から支給決済手段情報を受信する場合に限って示したが、Ｓ００２ステップで支払サーバ１１０は販売者の端末２０から移動通信端末番号と、ユーザの決済認証情報、支給決済手段情報を除いた、取引購買情報のみを受信して、以後支払サーバ１１０に接続した購買者の移動通信端末１０に支給決済手段情報を要請して購買者から直接受信することができる。
【０１００】
このような場合、前記実施例でＳ００７ステップおよびＳ００８ステップは、支給決済手段情報の入力要請ステップおよび支給決済手段情報の受信ステップに代替され、認証サービス加入確認ステップ（Ｓ００３、Ｓ００４）は、支給決済手段情報を受信した以後、決済認証情報の入力要請ステップ（Ｓ００９）以前に行われなければならない。
【０１０１】
次に、図３および図４によって説明した本発明のシステムにおける認証および決済過程を図６および図７によって支給決済手段情報の伝送の主体により実施例を区分して説明すれば次の通りである。
【０１０２】
図６は、本発明の他の実施例に係る認証および決済方法を説明するためのフローチャートであって、支払サーバ２１０が支給決済手段情報を販売者の端末２０から受信する場合の実施例を示したのである。
【０１０３】
図に示すように、購買者と販売者間にオフラインにおける直接販売取引および地上波放送、衛星放送、カタログなどのマスメディアと印刷媒体を用いた通信販売取引で所定の物品購買などに対する購買決定がなされることによって、購買者が販売者に自身の移動通信端末番号情報および支給決済手段情報を知らせれば（Ｓ１０１）、販売者は販売者の端末２０を介して支払サーバ２１０に接続し、購買者の移動通信端末番号と、ユーザの決済認証情報を除いた、取引購買情報を含む決済情報を伝送する（Ｓ１０２）。
【０１０４】
この時、前記ステップＳ１０１は、購買者が自販機やＡＲＳシステムのような販売者の端末２０に直接移動通信端末番号情報と支給決済手段情報とを入力することによってなされ、このような場合、Ｓ１０２ステップで販売者の端末２０は購買者によって情報入力が完了すれば、前記支払サーバ２１０に接続して、前記入力された情報を自ら伝送する。また、販売者はコールセンターなどの加盟店システムを介して支払サーバ２１０に前記情報を伝送することができる。
【０１０５】
次に、支払サーバ２１０は発給会社の情報管理中継サーバ２３０に前記支給決済手段情報を伝送して、発給会社サーバの接続ＵＲＬ情報を要請し（Ｓ１０３）、発給会社の情報管理中継サーバ２３０は発給会社サーバ２２０に前記支給決済手段情報を伝送して加入者の認証サービス加入有無を問い合わせ（Ｓ１０４）、発給会社サーバ２２０から認証サービス加入の確認応答を受信すれば（Ｓ１０５）、該当発給会社のＵＲＬ情報を前記支払サーバ２１０に伝送する（Ｓ１０６）。この時、前記認証サービス加入有無の問い合わせおよび確認応答過程（Ｓ１０４、Ｓ１０５）は省略可能である。
【０１０６】
次に、前記支払サーバ２１０は、支払サーバ接続のためのＵＲＬ情報を含むコールバックＵＲＬメッセージを生成し、これを購買者移動通信端末１０に伝送する（Ｓ１０７）。この時、前記コールバックＵＲＬメッセージは購買情報を含んでなる。
【０１０７】
次に、購買者は自身の移動通信端末１０で受信したコールバックＵＲＬメッセージを確認して、決済の意志がある場合、メッセージのコールバック機能によって自身の移動通信端末１０が支払サーバ２１０に接続されるようにする（Ｓ１０８）。
【０１０８】
支払サーバ２１０は、前記Ｓ１０２ステップで販売者の端末２０から受信した支給決済手段情報を含む無線インターネットページを前記購買者移動通信端末１０に伝送して支給決済手段情報の確認を要請し（Ｓ１０９）、購買者の移動通信端末１０から支給決済手段情報確認応答を受信すれば（Ｓ１１０）、前記Ｓ１０３ないしＳ１０６ステップで獲得した発給会社サーバの接続ＵＲＬ情報を用いて、支払サーバに接続した購買者の移動通信端末の接続を発給会社サーバに自動リダイレクションさせるリダイレクションメッセージを前記購買者移動通信端末１０に伝送する（Ｓ１１１）。
【０１０９】
この時、前記Ｓ１０７ステップで支払サーバ２１０が伝送するコールバックＵＲＬメッセージに購買情報が含まれない場合には、前記ステップＳ１０９で支給決済手段情報の確認要請時に購買情報を共に伝送するか、支給決済手段情報確認要請以前に購買情報確認過程を行うことができる。
【０１１０】
Ｓ１１０ステップのユーザの支給決済手段情報確認により支払サーバ２１０からリダイレクションメッセージを受信すれば（Ｓ１１１）、支払サーバ２１０に接続した購買者の移動通信端末１０の接続は発給会社サーバ２２０に自動リダイレクションされる（Ｓ１１２）。
【０１１１】
発給会社サーバ２２０は、前記接続された購買者の移動通信端末１０に該当支給決済手段に対する決済認証情報（個人決済認証情報）の入力を要請し（Ｓ１１３）、購買者の移動通信端末１０から決済認証情報を受信すれば（Ｓ１１４）、受信した決済認証情報を事前登録および決済手段発給時に格納されている決済認証情報と比較して認証処理を行い（Ｓ１１５）、認証結果を前記支払サーバ２１０に伝送する（Ｓ１１６）。
【０１１２】
次に、支払サーバ２１０は、前記発給会社サーバ２２０から受信した認証結果を添付した決済承認要請メッセージを買入会社サーバ２３０に伝送し（Ｓ１１７）、買入会社サーバ２３０は該当支給決済手段の決済承認処理を行い（Ｓ１１８）、承認結果を前記支払サーバ２１０に伝送する（Ｓ１１９）。
【０１１３】
支払サーバ２１０は、前記買入会社サーバ２３０からの承認結果を販売者の端末２０および購買者の移動通信端末１０に返信し（Ｓ１２０、Ｓ１２１）、承認結果の返信はＳＭＳ、ＭＭＳなどのメッセージまたは無線インターネットページの形式で伝送される。
【０１１４】
一方、前記Ｓ１１７ステップで前記支払サーバ２１０は、前記買入会社サーバ２３０に認証結果のみを送信することができ、この時、買入会社サーバ２３０は販売者の端末２０から、または加盟店システムおよび有線ネットワーク中継システムなどを経由した別の承認要請によって承認処理を行う（図示せず）。
【０１１５】
最後に、図７は、本発明のまた他の実施例に係る認証および決済方法を説明するためのフローチャートであって、支払サーバ２１０が支給決済手段情報を購買者の移動通信端末１０から受信する場合の実施例を示したのである。
【０１１６】
図に示すように、購買者と販売者間にオフラインにおける直接販売取引および地上波放送、衛星放送、カタログなどのマスメディアと印刷媒体を用いた通信販売取引で購買決定がなされることによって、購買者が販売者に自身の移動通信端末番号情報を知らせれば（Ｓ２０１）、販売者は販売者の端末２０を介して支払サーバ２１０に接続して、購買者の移動通信端末番号と、ユーザの決済認証情報を除いた取引購買情報を含む決済情報を伝送して、決済を要請する（Ｓ２０２）。
【０１１７】
次に、支払サーバ２１０は、支払サーバ接続のためのＵＲＬ情報を含むコールバックＵＲＬメッセージ（ＳＭＳまたはＭＭＳ）を生成し、これを購買者の移動通信端末１０に伝送し（Ｓ２０３）、購買者は自身の移動通信端末１０で受信したコールバックＵＲＬメッセージを確認して、決済の意志がある場合、メッセージのコールバック機能によって自身の移動通信端末１０が支払サーバ２１０に接続されるようにする（Ｓ２０４）。
【０１１８】
購買者の移動通信端末１０が接続されれば、支払サーバ２１０は前記購買者の移動通信端末１０に支給決済手段情報を入力することを要請し（Ｓ２０５）、購買者の移動通信端末１０から支給決済手段情報が入力および伝送されれば（Ｓ２０６）、該当支給決済手段情報を発給会社の情報管理中継サーバ２３０に伝送して発給会社サーバの接続ＵＲＬ情報を要請する（Ｓ２０７）。
【０１１９】
発給会社の情報管理中継サーバ２３０は、発給会社サーバ２２０に前記支給決済手段情報を伝送して加入者の認証サービス加入有無を問い合わせ（Ｓ２０８）、発給会社サーバ２２０から認証サービス加入の確認応答を受信すれば（Ｓ２０９）、該当発給会社のＵＲＬ情報を前記支払サーバ２１０に伝送する（Ｓ２１０）。この時、前記認証サービス加入有無の問い合わせおよび確認応答過程（Ｓ２０８、Ｓ２０９）は省略可能である。
【０１２０】
次に、支払サーバ２１０が前記獲得した発給会社サーバの接続ＵＲＬ情報を用いて、支払サーバに接続した購買者の移動通信端末の接続を発給会社サーバに自動リダイレクションさせるリダイレクションメッセージを前記購買者移動通信端末１０に伝送するステップないし以後の認証および承認過程（Ｓ２１１〜Ｓ２２１）は図６の実施例と同一であり、省略する。
【０１２１】
本発明が属する技術分野の当業者は、本発明がその技術的思想や必須特徴を変更せず、他の具体的な形態で実施することができるため、以上で記述した実施例はすべての面で例示的なものであり、限定的なものではないこととして理解しなければならない。本発明の範囲は前記詳細な説明よりは後述する特許請求の範囲によって示され、特許請求の範囲の意味および範囲、そしてその等価概念から導き出されるすべての変更または変形された形態が本発明の範囲に含まれると解釈しなければならない。
【０１２２】
したがって、本発明の移動通信端末を用いた認証および決済システムと方法は、販売者と購買者との間のオフラインにおける直接販売取引および地上波放送、衛星放送、カタログなどのマスメディアと印刷媒体を用いた通信販売取引で、販売者の端末および購買者の移動通信端末を用いて購買者の決済情報の露出なく認証および決済がなされるようにし、認証と承認の処理が分離して行われるようにすることによって、オン／オフラインで行われる認証および決済サービスが訪問販売などの直接販売分野に拡張される新しい決済インターフェースが提供されて、決済情報偽造および不当使用に起因して生じた手記取引の問題点を解決できる利点があり、オンラインまたはオフラインにおける直接販売取引において移動通信端末を用いた新しい決済および認証方式を提供することによって取引の安定性および信頼性の確保による直接販売の取引活性化を図ることができるという効果がある。
また、本発明によれば、地域的特性および取引の特性により支給決済端末の設置が不可能であるか、経済的に設置の効率性を期待しにくいオフライン加盟店や、自販機のような無点舗加盟店において、安全で便利な決済プロセスを介して取引できるようになるという効果がある。
【図面の簡単な説明】
【０１２３】
【図１】本発明の一実施形態に係る認証および決済システムの構成図である。
【図２】図１の支払サーバ構成図である。
【図３】本発明の他の実施例に係る認証および決済システムの構成図である。
【図４】図３の支払サーバ構成図である。
【図５】本発明の一実施形態に係る認証および決済方法を説明するためのフローチャートである。
【図６】本発明の他の実施例に係る認証および決済方法を説明するためのフローチャートである。
【図７】本発明のまた他の実施例に係る認証および決済方法を説明するためのフローチャートである。
【図１】
2008511067.tif 000003
【図２】
2008511067.tif 000004
【図３】
2008511067.tif 000005
【図４】
2008511067.tif 000006
【図５】
2008511067.tif 000007
【図６】
2008511067.tif 000008
【図７】
2008511067.tif 000009
【国際調査報告】
2008511067.tif 000010
2008511067.tif 000011